(57)【要約】【課題】オーダごとに管理されている情報について患者別の一覧性を高めた表示を可能とすることを目的とする。【解決手段】電子カルテシステムのオーダ情報表示プログラムは、それぞれが患者情報を含む複数のオーダ情報を記憶する記憶部を参照して、いずれかの前記オーダ情報に含まれる前記患者情報を抽出し、抽出した前記患者情報ごとに、当該患者情報を含む前記オーダ情報の数を含む表示情報を生成する、処理をコンピュータに実行させる。【選択図】図１２
2020115272.tif 000002
【特許請求の範囲】
【請求項１】
それぞれが患者情報を含む複数のオーダ情報を記憶する記憶部を参照して、いずれかの前記オーダ情報に含まれる前記患者情報を抽出し、
抽出した前記患者情報ごとに、当該患者情報を含む前記オーダ情報の数を含む表示情報を生成する、
処理をコンピュータに実行させることを特徴とする電子カルテシステムのオーダ情報表示プログラム。
【請求項２】
前記表示情報に基づいて表示されたいずれかの患者情報について所定の指示を受け付けると、当該患者情報を含む前記オーダ情報の一覧を含む表示情報を生成する、
処理を前記コンピュータに実行させることを特徴とする請求項１記載の電子カルテシステムのオーダ情報表示プログラム。
【請求項３】
それぞれが患者情報を含む複数のオーダ情報を記憶する記憶部を参照して、いずれかの前記オーダ情報に含まれる前記患者情報を抽出し、
抽出した前記患者情報ごとに、当該患者情報を含む前記オーダ情報の数を含む表示情報を生成する、
処理をコンピュータが実行することを特徴とする電子カルテシステムのオーダ情報表示方法。
【請求項４】
それぞれが患者情報を含む複数のオーダ情報を記憶する記憶部を参照して、いずれかの前記オーダ情報に含まれる前記患者情報を抽出する抽出部と、
抽出した前記患者情報ごとに、当該患者情報を含む前記オーダ情報の数を含む表示情報を生成する第１の生成部と、
有することを特徴とする電子カルテシステム。
【発明の詳細な説明】
【技術分野】
【０００１】
本発明は、電子カルテシステムのオーダ情報表示プログラム、電子カルテシステムのオーダ情報表示方法及び電子カルテシステムに関する。
【背景技術】
【０００２】
従来、電子カルテシステムが導入されている病院では、医師によって依頼される各種のオーダは、医師が利用する端末から電子カルテシステムに対して入力される。入力された各オーダは、電子カルテシステムが有するデータベースに登録される。したがって、当該データベースには、オーダごとにレコードが記憶される。なお、一人の患者に対して複数のオーダが発行される場合が有る。この場合であっても、それぞれのオーダに対応するレコードが別々にデータベースに登録される。
【先行技術文献】
【特許文献】
【０００３】
【特許文献１】特開２００６−１５５０７０号公報
【特許文献２】特開平６−２８２５５９号公報
【発明の概要】
【発明が解決しようとする課題】
【０００４】
データベースに登録されたオーダは、オーダの受付先の端末を用いて参照される。例えば、注射オーダであれば、看護師によって確認され、当該注射オーダに従った作業が行われる。
【０００５】
上記のように、電子カルテシステムのデータベースには、オーダごとにレコードが登録される。したがって、当該データベースに対する検索によって得られる検索結果は、オーダごとのレコードである。例えば、当日に発行されたオーダを確認した場合、発行日時が当日であるオーダの一覧が端末に表示される。当該一覧には、複数の患者に対するオーダが混在している。
【０００６】
病院内においては、患者ごとに処置が行われるのが効率的である。例えば、或る患者に対して複数の注射オーダが登録されている場合、当該患者に対して、当該複数の注射オーダに対する処置がまとめて行われるのが効率的である。
【０００７】
しかしながら、オーダごとの一覧が表示された場合、同一患者に対する複数のオーダの数を把握するのは困難である。
【０００８】
そこで、一側面では、本発明は、オーダごとに管理されている情報について患者別の一覧性を高めた表示を可能とすることを目的とする。
【課題を解決するための手段】
【０００９】
一つの態様では、電子カルテシステムのオーダ情報表示プログラムは、それぞれが患者情報を含む複数のオーダ情報を記憶する記憶部を参照して、いずれかの前記オーダ情報に含まれる前記患者情報を抽出し、抽出した前記患者情報ごとに、当該患者情報を含む前記オーダ情報の数を含む表示情報を生成する、処理をコンピュータに実行させる。
【発明の効果】
【００１０】
一側面として、オーダごとに管理されている情報について患者別の一覧性を高めた表示を可能とすることを目的とする。
【図面の簡単な説明】
【００１１】
【図１】本発明の実施の形態における電子カルテシステムの構成例を示す図である。
【図２】本発明の実施の形態における電子カルテサーバ１０のハードウェア構成例を示す図である。
【図３】本発明の実施の形態におけるユーザ端末２０のハードウェア構成例を示す図である。
【図４】本発明の実施の形態における電子カルテシステム１の機能構成例を示す図である。
【図５】電子カルテシステム１において実行される処理手順の一例を説明するためのシーケンス図である。
【図６】オーダＤＢ１６の構成例を示す図である。
【図７】オーダ総合計画面の表示例を示す図である。
【図８】患者ＤＢ１７の構成例を示す図である。
【図９】病棟別合計画面の表示例を示す図である。
【図１０】患者別オーダ一覧画面の表示例を示す図である。
【図１１】オーダ内容確認画面の表示例を示す図である。
【図１２】オーダごとにオーダ情報を表示した場合と患者別に集計した場合とを比較するための図である。
【発明を実施するための形態】
【００１２】
以下、図面に基づいて本発明の実施の形態を説明する。図１は、本発明の実施の形態における電子カルテシステムの構成例を示す図である。図１において、電子カルテシステム１は、電子カルテサーバ１０と複数のユーザ端末２０とを含む。電子カルテサーバ１０は、ＬＡＮ（Local  Area  Network）等のネットワークを介して各ユーザ端末２０と通信可能である。
【００１３】
電子カルテサーバ１０は、電子的なカルテ（電子カルテ）を管理する１以上のコンピュータである。
【００１４】
ユーザ端末２０は、電子カルテに対する各種の情報の入力や、電子カルテの参照等に利用されるユーザ端末２０である。各ユーザ端末２０は、病院内の各部門に配置され、例えば、医師、看護師、薬剤師、検査技師等の病院の職員によって利用される。医師によって利用されるユーザ端末２０は、各種のオーダに関する情報（以下、「オーダ情報」という。）の入力にも利用される。オーダとは、患者の処置に関する医師からの指示をいう。一方、オーダ先のユーザ端末２０は、オーダ情報の参照にも利用される。そうすることで、医師のオーダがオーダ先に伝達される。
【００１５】
図２は、本発明の実施の形態における電子カルテサーバ１０のハードウェア構成例を示す図である。図２の電子カルテサーバ１０は、それぞれバスＢ１で相互に接続されているドライブ装置１００、補助記憶装置１０２、メモリ装置１０３、ＣＰＵ１０４、及びインタフェース装置１０５等を有する。
【００１６】
電子カルテサーバ１０での処理を実現するプログラムは、記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１７】
メモリ装置１０３は、プログラムの起動指示があった場合に、補助記憶装置１０２からプログラムを読み出して格納する。ＣＰＵ１０４は、メモリ装置１０３に格納されたプログラムに従って電子カルテサーバ１０に係る機能を実行する。インタフェース装置１０５は、ネットワークに接続するためのインタフェースとして用いられる。
【００１８】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard  Disk  Drive）又はフラッシュメモリ等が挙げられる。記録媒体１０１及び補助記憶装置１０２のいずれについても、コンピュータ読み取り可能な記録媒体に相当する。
【００１９】
図３は、本発明の実施の形態におけるユーザ端末２０のハードウェア構成例を示す図である。図３のユーザ端末２０は、それぞれバスＢ２で相互に接続されているドライブ装置２００、補助記憶装置２０２、メモリ装置２０３、ＣＰＵ２０４、インタフェース装置２０５、表示装置２０６、及び入力装置２０７等を有する。
【００２０】
ユーザ端末２０での処理を実現するプログラムは、記録媒体２０１によって提供される。プログラムを記録した記録媒体２０１がドライブ装置２００にセットされると、プログラムが記録媒体２０１からドライブ装置２００を介して補助記憶装置２０２にインストールされる。但し、プログラムのインストールは必ずしも記録媒体２０１より行う必要はなく、ネットワークを介して他のコンピュータよりダウンロードするようにしてもよい。補助記憶装置２０２は、インストールされたプログラムを格納すると共に、必要なファイルやデータ等を格納する。
【００２１】
メモリ装置２０３は、プログラムの起動指示があった場合に、補助記憶装置２０２からプログラムを読み出して格納する。ＣＰＵ２０４は、メモリ装置２０３に格納されたプログラムに従ってユーザ端末２０に係る機能を実現する。インタフェース装置２０５は、ネットワークに接続するためのインタフェースとして用いられる。表示装置２０６はプログラムによるＧＵＩ（Graphical  User  Interface）等を表示する。入力装置２０７はキーボード及びマウス等であり、様々な操作指示を入力させるために用いられる。なお、記録媒体２０１の一例は、記録媒体１０１の一例と同様でもよい。
【００２２】
図４は、本発明の実施の形態における電子カルテシステム１の機能構成例を示す図である。図４において、ユーザ端末２０は、クライアント部２１を有する。クライアント部２１は、ユーザ端末２０にインストールされた１以上のプログラムが、ＣＰＵ２０４に実行させる処理により実現される。
【００２３】
クライアント部２１は、電子カルテシステム１のユーザインタフェース（画面）をユーザに提供する。クライアント部２１は、画面を介して入力される要求を電子カルテサーバ１０へ送信したり、当該要求に対する電子カルテサーバ１０からの応答に含まれている、画面を表示させるための情報（以下、「表示情報」という。）に基づく画面を表示装置２０６に表示したりする。なお、クライアント部２１は、Ｗｅｂブラウザ等のように汎用的なプログラムによって実現されてもよいし、電子カルテシステム１に専用のプログラムによって実現されてもよい。前者の場合、ＨＴＭＬ（HyperText  Markup  Language）データ等が表示情報の一例である。後者の場合、電子カルテシステム１において規定された形式の情報が表示情報の一例である。
【００２４】
一方、電子カルテサーバ１０は、登録部１１、オーダ総合計応答部１２、病棟別合計応答部１３、患者別オーダ一覧応答部１４及びオーダ内容応答部１５等を有する。これら各部は、電子カルテサーバ１０にインストールされた１以上のプログラム（オーダ情報表示プログラム）が、ＣＰＵ１０４に実行させる処理により実現される。電子カルテサーバ１０は、また、オーダＤＢ１６及び患者ＤＢ１７等のデータベース（記憶部）を利用する。これら各データベース（記憶部）は、例えば、補助記憶装置１０２、又は電子カルテサーバ１０にネットワークを介して接続可能な記憶装置等を用いて実現可能である。
【００２５】
登録部１１は、医師等による指示に応じてクライアント部２１から送信されるオーダの登録要求に応じ、当該オーダに関するオーダ情報をオーダＤＢ１６に登録する。したがって、オーダＤＢ１６には、オーダごとに、オーダ情報が記憶される。各オーダ情報は、オーダの対象となる患者に関する情報（以下、「患者情報」という。）を含む。本実施の形態では、患者情報の一部を構成する患者番号が各オーダ情報に含まれる。但し、患者情報の全部が各オーダ情報に含まれてもよい。登録部１１は、また、既に登録済みのオーダ情報の更新要求に応じ、オーダＤＢ１６に対して当該オーダ情報の更新を行う。
【００２６】
オーダ総合計応答部１２は、クライアント部２１からのオーダ総合計の表示要求に応じ、オーダＤＢ１６に記憶されているオーダ情報群を取得し、オーダ総合計を含む画面（以下、「オーダ総合計画面」という。）を生成する。オーダ総合計応答部１２は、オーダ総合計画面の表示情報を含む応答をクライアント部２１へ送信する。ここで、オーダ総合計とは、オーダに関する処理（依頼、実施、受付等）の数についてのオーダ種別ごとの集計結果をいう。オーダ種別とは、オーダの種別をいう。例えば、注射に関するオーダであれば、「予約注射」、「入院一般注射」、「入院臨時注射」、「実施済み注射」等がオーダ種別の一例として挙げられる。その他、処方に関するオーダ、検査に関するオーダ等も有る。どのようなオーダ種別が定義されるかについては、病院ごとに異なってもよい。
【００２７】
病棟別合計応答部１３は、オーダ総合計画面を介したユーザによる所定の指示（いずれかのオーダ種別の選択）に応じてクライアント部２１から送信される、病棟別合計の表示要求に応じ、オーダ総合計を病棟別に分類して集計し、集計結果である病棟別合計を含む画面（以下、「病棟別合計画面」という。）を生成する。病棟別合計応答部１３は、病棟別合計画面の表示情報を含む応答をクライアント部２１へ送信する。ここで、病棟とは、オーダの対象とされる患者が入院している病棟の名称をいう。各患者の入院先の病棟は患者ＤＢ１７に記憶されている。患者ＤＢ１７には、患者ごとに患者情報が記憶される。
【００２８】
患者別オーダ一覧応答部１４は、病棟別合計画面を介したユーザによる所定の指示（いずれかの病棟の選択）に応じてクライアント部２１から送信される、患者別オーダ一覧の表示要求に応じ、患者別オーダ一覧を含む画面（以下、「患者別オーダ一覧画面」という。）を生成する。患者別オーダ一覧応答部１４は、患者別オーダ一覧画面の表示情報を含む応答をクライアント部２１へ送信する。ここで、患者別オーダ一覧とは、選択された病棟に所属する患者に関するオーダ情報を患者別に集計した結果をいう。すなわち、一人の患者に対して複数のオーダ情報が登録されうる。
【００２９】
オーダ内容応答部１５は、患者別オーダ一覧画面を介したユーザによる所定の指示（いずれかの患者の選択）に応じてクライアント部２１から送信される、オーダ内容の確認要求に応じ、選択された患者の各オーダのオーダ情報の詳細を含む画面（以下、「オーダ内容確認画面」という。）を生成する。オーダ内容応答部１５は、オーダ内容確認画面の表示情報を含む応答をクライアント部２１へ送信する。
【００３０】
以下、電子カルテシステム１において実行される処理手順について説明する。図５は、電子カルテシステム１において実行される処理手順の一例を説明するためのシーケンス図である。
【００３１】
ステップＳ１０１において、クライアント部２１は、既に表示されている画面に対するユーザ（例えば、薬剤師等）による所定の操作に応じ、オーダ総合計の表示要求を電子カルテサーバ１０へ送信する。電子カルテサーバ１０のオーダ総合計応答部１２は、オーダ総合計の表示要求を受信すると、オーダＤＢ１６からオーダ情報群を取得する（Ｓ１０２）。
【００３２】
図６は、オーダＤＢ１６の構成例を示す図である。図６に示されるように、オーダＤＢ１６には、オーダごとに、オーダ番号、患者番号、オーダ種別、日付、受付フラグ、受付解除フラグ、実施フラグ、印刷フラグ、指示内容、数量、単位等を含むオーダ情報が記憶される。オーダごとであるため、一人の患者に対して複数のオーダが依頼されている場合、患者番号が共通である複数のオーダ情報がオーダＤＢ１６に記憶される。
【００３３】
オーダ番号は、オーダの識別情報である。患者番号は、患者の識別情報である。オーダ種別は、該当オーダのオーダ種別である。日付は、該当オーダが依頼（発行）された日付（すなわち、オーダ情報が登録された日付）である。受付フラグは、該当オーダがオーダ先において受け付けられたか否かを示すフラグであり、オーダ情報の登録時には、受け付けられていないことを示す値が登録される。オーダ先とは、オーダの実施が指示された部門等をいう。オーダの受け付けとは、電子カルテシステム１において、オーダを実施することを了解する操作をいう。受付解除フラグは、該当オーダの受け付けが解除されたか否かを示すフラグであり、オーダ情報の登録時には、受け付けが解除されていないことを示す値が登録される。実施フラグは、該当オーダが実施されたか否かを示すフラグであり、オーダ情報の登録時には、実施されていないことを示す値が登録される。印刷フラグは、該当オーダのオーダ情報が印刷されたか否かを示すフラグであり、オーダ情報の登録時には、印刷されていないことを示す値が登録される。指示内容は、オーダの詳細情報である。数量は、指示内容において注射や処方等が指示されている薬品等の数量である。単位は、当該数量の単位である。なお、受付フラグ、受付解除フラグ、実施フラグは、印刷フラグは、オーダの受け付け、受付解除、実施、又は印刷に応じて更新される。
【００３４】
なお、ステップＳ１０２では、特定のカテゴリに属するオーダ種別に係るオーダ情報群のみが取得されてもよい。カテゴリとは、オーダ種別より上位の概念をいう。例えば、注射に関するオーダ、検査に関するオーダ、処方に関するオーダ等が、カテゴリの一例である。この場合、ステップＳ１０１における要求に、いずれかのカテゴリを示す情報が含まれてもよい。
【００３５】
また、ステップＳ１０２では、日付が所定期間に属するオーダ情報群のみが取得されてもよい。例えば、当時の日付を含むオーダ情報群のみが取得されてもよい。又は、ステップＳ１０１における要求に、期間が指定されてもよい。
【００３６】
続いて、オーダ総合計応答部１２は、取得したオーダ情報群をオーダ種別ごとに集計（合計）する（Ｓ１０３）。具体的には、オーダ種別が共通するオーダ情報群ごとに、オーダ依頼数、オーダ実施数、受付済数、受付解除数、及び印刷数等が集計される。オーダ依頼数は、該当するオーダ種別のオーダ情報の数である。オーダ実施数は、該当するオーダ種別のオーダ情報のうち、実施フラグが実施済みであることを示すオーダ情報の数である。受付済数は、該当するオーダ種別のオーダ情報のうち、受付フラグが受付済みであることを示すオーダ情報の数である。受付解除数は、該当するオーダ種別のオーダ情報のうち、受付解除フラグが受付の解除を示すオーダ情報の数である。印刷数は、該当するオーダ種別のオーダ情報のうち、印刷フラグが印刷済みであることを示すオーダ情報の数である。
【００３７】
続いて、オーダ総合計応答部１２は、ステップＳ１０３における集計結果を含むオーダ総合計画面の表示情報を生成し（Ｓ１０４）、当該表示情報を含む応答をクライアント部２１へ送信する（Ｓ１０５）。
【００３８】
クライアント部２１は、当該応答を受信すると、当該応答に含まれている表示情報に基づいて、オーダ総合計画面を表示装置２０６に表示する（Ｓ１０６）。
【００３９】
図７は、オーダ総合計画面の表示例を示す図である。図７に示されるように、オーダ総合計画面５１０は、オーダ種別ごとに、オーダ依頼数、オーダ実施数、受付済数、受付解除数、及び印刷数等を表示する。なお、図７では、過去一ヶ月（２０１８年１０月１５日〜２０１８年１１月１５日）のオーダ情報の集計結果が表示される例が示されている。
【００４０】
続いて、オーダ総合計画面５１０において、いずれかの行（すなわち、いずれかのオーダ種別）がユーザによって選択されると（Ｓ１０７）、クライアント部２１は、病棟別合計の表示要求を電子カルテサーバ１０へ送信する（Ｓ１０８）。当該表示要求には、選択された行に係るオーダ種別（以下、「対象オーダ種別」という。）が含まれる。
【００４１】
電子カルテサーバ１０の病棟別合計応答部１３は、病棟別合計の表示要求を受信すると、ステップＳ１０２において取得されたオーダ情報群の中から対象オーダ種別に係るオーダ情報群を抽出する（Ｓ１０９）。続いて、病棟別合計応答部１３は、抽出されたオーダ情報群を病棟別に分類し、分類されたオーダ情報群ごとにオーダ依頼数、オーダ実施数、受付済数、受付解除数、及び印刷数等を集計する（Ｓ１１０）。この際、病棟別合計応答部１３は、患者ＤＢ１７を参照して各オーダ情報の病棟を特定する。
【００４２】
図８は、患者ＤＢ１７の構成例を示す図である。図８に示されるように、患者ＤＢ１７には、患者ごとに、患者番号、患者名称、患者性別、患者年齢、生年月日及び病棟等が記憶される。病棟は、患者が入院している病棟である。但し、外来患者の場合の病棟の値は、「外来」である。
【００４３】
病棟別合計応答部１３は、各オーダ情報の患者番号に対応する病棟を患者ＤＢ１７から取得することで、各オーダ情報の病棟を特定することができる。
【００４４】
続いて、病棟別合計応答部１３は、ステップＳ１１０の集計結果を含む病棟別合計画面の表示情報を生成し（Ｓ１１１）、当該表示情報を含む応答をクライアント部２１へ送信する（Ｓ１１２）。クライアント部２１は、当該応答を受信すると、当該応答に含まれている表示情報に基づいて、病棟別合計画面を表示装置２０６に表示する（Ｓ１１３）。
【００４５】
図９は、病棟別合計画面の表示例を示す図である。図９に示されるように、病棟別合計画面５２０には、図７に示したオーダ総合計が病棟別に集計された結果が表示される。
【００４６】
続いて、病棟別合計画面５２０において、いずれかの行（すなわち、いずれかの病棟）がユーザによって選択されると（Ｓ１１４）、クライアント部２１は、患者別オーダ一覧の表示要求を電子カルテサーバ１０へ送信する（Ｓ１１５）。当該表示要求には、選択された行に係る病棟（以下、「対象病棟」という。）が含まれる。
【００４７】
電子カルテサーバ１０の患者別オーダ一覧応答部１４は、患者別オーダ一覧の表示要求を受信すると、ステップＳ１０９において抽出されたオーダ情報群から対象病棟に係るオーダ情報群を抽出する（Ｓ１１６）。続いて、患者別オーダ一覧応答部１４は、抽出されたオーダ情報群を構成する各オーダ情報の患者番号に基づいて、各オーダ情報に含まれる患者情報（患者名称、患者性別、患者年齢）を患者ＤＢ１７から抽出（検索）する（Ｓ１１７）。続いて、患者別オーダ一覧応答部１４は、当該オーダ情報群について、抽出された患者番号別にオーダ依頼数、オーダ実施数、受付済数、受付解除数を集計する（Ｓ１１８）。続いて、患者別オーダ一覧応答部１４は、患者別の集計結果に患者情報を対応付けて表示する患者別オーダ一覧画面の表示情報を生成し（Ｓ１１９）、当該表示情報を含む応答をクライアント部２１へ送信する（Ｓ１２０）。
【００４８】
クライアント部２１は、当該応答を受信すると、当該応答に含まれている表示情報に基づいて、患者別オーダ一覧画面を表示装置２０６に表示する（Ｓ１２１）。
【００４９】
図１０は、患者別オーダ一覧画面の表示例を示す図である。図１０に示されるように、患者別オーダ一覧画面５３０には、患者ごとに、患者番号、患者名称及び患者性別と、当該患者に関するオーダ情報のうち対象種別に係るオーダ情報の集計結果であるオーダ依頼数（すなわち、オーダ情報の数）、オーダ実施数、受付済数及び受付解除数が表示される。
【００５０】
ユーザは、患者別オーダ一覧画面５３０を参照することで、患者ごとのオーダの数等を容易に把握することができる。
【００５１】
続いて、患者別オーダ一覧画面５３０において、いずれかの行（すなわち、いずれかの患者）がユーザによって選択されると（Ｓ１２２）、クライアント部２１は、オーダ内容の確認要求を電子カルテサーバ１０へ送信する（Ｓ１２３）。当該表示要求には、選択された行に係る患者番号（以下、「対象患者番号」という。）が含まれる。
【００５２】
電子カルテサーバ１０のオーダ内容応答部１５は、オーダ内容の確認要求を受信すると、対象オーダ種別及び対象患者番号を含むオーダ情報をオーダＤＢ１６から検索する（Ｓ１２４）。続いて、オーダ内容応答部１５は、対象患者番号に係る患者（以下、「対象患者」という。）の患者情報と、検索された各オーダ情報と含むオーダ内容確認画面の表示情報を生成し（Ｓ１２５）、当該表示情報をクライアント部２１へ送信する（Ｓ１２６）。
【００５３】
クライアント部２１は、当該応答を受信すると、当該応答に含まれている表示情報に基づいて、オーダ内容確認画面を表示装置２０６に表示する（Ｓ１２７）。
【００５４】
図１１は、オーダ内容確認画面の表示例を示す図である。図１１に示されるように、オーダ内容確認画面５４０は、患者情報表示領域５４１及びオーダ一覧表示領域５４２等を含む。患者情報表示領域ｔ４１には、対象患者の患者番号、患者名称、病棟等が表示される。
【００５５】
オーダ一覧表示領域５４２には、対象患者に関するオーダのうち、対象オーダ種別に係る各オーダのオーダ情報の一覧が表示される。図１１の例では、オーダ情報のうち、オーダ種別、日付、指示内容、数量及び単位等が表示される例が示されている。但し、受付フラグ、受付解除フラグ、実施フラグ、印刷フラグ等に基づく情報が表示されるようにしてもよい。
【００５６】
ユーザは、オーダ一覧表示領域５４２を参照することで、対象患者に関する各オーダの詳細情報の一覧を把握することができる。
【００５７】
なお、例えば、ユーザが、オーダ先の者であり、オーダ一覧表示領域５４２の一部又は全部のオーダ情報に係るオーダを受け付ける場合、当該オーダのオーダ情報を選択した状態で受付ボタン５４３を押下する。この場合、クライアント部２１は、当該オーダ情報のオーダ番号と共に、当該オーダの受け付け要求を電子カルテサーバ１０に送信する。電子カルテサーバ１０の登録部１１は、当該オーダ番号に係るオーダ情報に関してオーダＤＢ１６に記憶されている受付フラグの値を、受付済みを示す値に更新する。
【００５８】
上述したように、本実施の形態によれば、オーダＤＢ１６においてオーダごとに管理されている情報について、患者別の集計結果が患者別オーダ一覧画面５３０に含まれて表示される。したがって、オーダごとに管理されているオーダ情報について患者別の一覧性を高めた表示を可能とすることができる。
【００５９】
例えば、図１２は、オーダごとにオーダ情報を表示した場合と患者別に集計した場合とを比較するための図である。図１２において、左側の画面は、オーダごとにオーダ情報を表示した例を示す画面（以下、「オーダ一覧画面６１０」という。）である。右側の画面は、図１０に示した患者別オーダ一覧画面５３０である。例えば、オーダ一覧画面６１０を参照して、同一患者のオーダ情報を把握するためには、患者番号が共通する行数を数える必要がある。破線Ｌ１で囲まれた各行のオーダ情報が同一患者のオーダ情報である。
【００６０】
一方、右側の患者別オーダ一覧画面５３０によれば、患者別にオーダ情報の集計結果（オーダの数等）が含まれているため、ユーザは、容易に患者別のオーダ依頼数等を把握することができる。
【００６１】
なお、本実施の形態において、患者別オーダ一覧応答部１４は、抽出部及び第１の生成部の一例である。
【００６２】
以上、本発明の実施の形態について詳述したが、本発明は斯かる特定の実施形態に限定されるものではなく、特許請求の範囲に記載された本発明の要旨の範囲内において、種々の変形・変更が可能である。
【００６３】
以上の説明に関し、更に以下の項を開示する。
（付記１）
それぞれが患者情報を含む複数のオーダ情報を記憶する記憶部を参照して、いずれかの前記オーダ情報に含まれる前記患者情報を抽出し、
抽出した前記患者情報ごとに、当該患者情報を含む前記オーダ情報の数を含む表示情報を生成する、
処理をコンピュータに実行させることを特徴とする電子カルテシステムのオーダ情報表示プログラム。
（付記２）
前記表示情報に基づいて表示されたいずれかの患者情報について所定の指示を受け付けると、当該患者情報を含む前記オーダ情報の一覧を含む表示情報を生成する、
処理を前記コンピュータに実行させることを特徴とする付記１記載の電子カルテシステムのオーダ情報表示プログラム。
（付記３）
それぞれが患者情報を含む複数のオーダ情報を記憶する記憶部を参照して、いずれかの前記オーダ情報に含まれる前記患者情報を抽出し、
抽出した前記患者情報ごとに、当該患者情報を含む前記オーダ情報の数を含む表示情報を生成する、
処理をコンピュータが実行することを特徴とする電子カルテシステムのオーダ情報表示方法。
（付記４）
前記表示情報に基づいて表示されたいずれかの患者情報について所定の指示を受け付けると、当該患者情報を含む前記オーダ情報の一覧を含む表示情報を生成する、
処理を前記コンピュータが実行することを特徴とする付記３記載の電子カルテシステムのオーダ情報表示方法。
（付記５）
それぞれが患者情報を含む複数のオーダ情報を記憶する記憶部を参照して、いずれかの前記オーダ情報に含まれる前記患者情報を抽出する抽出部と、
抽出した前記患者情報ごとに、当該患者情報を含む前記オーダ情報の数を含む表示情報を生成する第１の生成部と、
有することを特徴とする電子カルテシステム。
（付記６）
前記表示情報に基づいて表示されたいずれかの患者情報について所定の指示を受け付けると、当該患者情報を含む前記オーダ情報の一覧を含む表示情報を生成する第２の生成部、
を有することを特徴とする付記５記載の電子カルテシステム。
【符号の説明】
【００６４】
１            電子カルテシステム
１０          電子カルテサーバ
１１          登録部
１２          オーダ総合計応答部
１３          病棟別合計応答部
１４          患者別オーダ一覧応答部
１５          オーダ内容応答部
１６          オーダＤＢ
１７          患者ＤＢ
２０          ユーザ端末
２１          クライアント部
１００        ドライブ装置
１０１        記録媒体
１０２        補助記憶装置
１０３        メモリ装置
１０４        ＣＰＵ
１０５        インタフェース装置
２００        ドライブ装置
２０１        記録媒体
２０２        補助記憶装置
２０３        メモリ装置
２０４        ＣＰＵ
２０５        インタフェース装置
２０６        表示装置
２０７        入力装置
Ｂ１          バス
Ｂ２          バス
【図１】
2020115272.tif 000003
【図２】
2020115272.tif 000004
【図３】
2020115272.tif 000005
【図４】
2020115272.tif 000006
【図５】
2020115272.tif 000007
【図６】
2020115272.tif 000008
【図７】
2020115272.tif 000009
【図８】
2020115272.tif 000010
【図９】
2020115272.tif 000011
【図１０】
2020115272.tif 000012
【図１１】
2020115272.tif 000013
【図１２】
2020115272.tif 000014